(57)【要約】【課題】基板の重ねズレ等に対するマージンが広くて製造し易いプラズマディスプレイパネルを提供する。【解決手段】隣り合う２行の表示ラインで一本の走査電極１２を共用すると共に、１フレーム毎に偶数および奇数の表示ラインで交互に表示を行うインターレース方式のプラズマディスプレイパネルであって、維持放電を行う際に対となる維持電極１１と前記走査電極１２について、それぞれが異なる面積１５ａ，１５ｂ；１６ａ，１６ｂを有するように構成する。【選択図】図４
2008034200.tif 000002
【特許請求の範囲】
【請求項１】
隣り合う２行の表示ラインで一本の走査電極を共用すると共に、１フレーム毎に偶数および奇数の表示ラインで交互に表示を行うインターレース方式のプラズマディスプレイパネルであって、
維持放電を行う際に対となる維持電極と前記走査電極について、それぞれが異なる面積を有することを特徴とするプラズマディスプレイパネル。
【請求項２】
請求項１に記載のプラズマディスプレイパネルにおいて、該プラズマディスプレイパネルは、
放電空間を形成する第１の基板および第２の基板と、
前記第１の基板に設けられた複数の前記維持電極および複数の前記走査電極と、
前記第２の基板に設けられ、前記維持電極および前記走査電極と交差する複数のアドレス電極と、を備え、
隣接する前記維持電極および前記走査電極の間に面放電による表示ラインが設定され、
該表示ラインと前記アドレス電極との交差部にそれぞれ放電セルが設定され、
該放電セルは、列方向に伸びる縦障壁と行方向に伸びる横障壁によって放電空間が区画され、且つ、
点灯すべきセルを選択するためのアドレス放電を発生させる際に、前記隣り合う２行の表示ラインで一本の走査電極が共用されるようになっていることを特徴とするプラズマディスプレイパネル。
【請求項３】
請求項２に記載のプラズマディスプレイパネルにおいて、
前記放電セル内における前記維持電極および前記走査電極は、前記列方向において、交互に異なる幅、および／または、交互に異なる長さとなっていることを特徴とするプラズマディスプレイパネル。
【請求項４】
請求項２に記載のプラズマディスプレイパネルにおいて、
前記横障壁は、前記列方向において交互に異なる幅を有することを特徴とするプラズマディスプレイパネル。
【請求項５】
請求項１〜４のいずれか１項に記載のプラズマディスプレイパネルにおいて、
前記放電セル内における前記維持電極および前記走査電極は、１．２倍〜２倍程度の電極面積の差を有することを特徴とするプラズマディスプレイパネル。
【発明の詳細な説明】
【技術分野】
【０００１】
本発明は、プラズマディスプレイパネルに関し、特に、隣り合う２行の表示ラインで一本の走査電極を共用する電極構造を適用すると共に、放電セルが縦障壁と横障壁を備えてインターレース方式により表示を行うプラズマディスプレイパネルに関する。
【背景技術】
【０００２】
図１はプラズマディスプレイ装置の一例の全体構成を概略的に示すブロック図である。図１において、参照符号１１１は維持電極駆動回路、１１２は走査電極駆動回路、１１３はスキャンドライバ、１１４はアドレスドライバ、そして、１１５は制御回路部を示している。
【０００３】
図１に示されるように、プラズマディスプレイ装置は、維持電極駆動回路１１１に接続された行（横）方向のＸ電極Ｘ１，Ｘ２，…，Ｘｎおよびスキャンドライバ１１３に接続された行方向のＹ電極Ｙ１，Ｙ２，…，Ｙｎが交互に配置され、さらに、これらＸ電極およびＹ電極と交差するように、アドレスドライバ１１４に接続された列（縦）方向のアドレス電極Ａ１，Ａ２，…，Ａｍが配置され、そして、それらの交差部分にセルが形成される。
【０００４】
制御回路部１１５は、外部から入力される表示データおよび同期信号等を変換し、維持電極駆動回路１１１、走査電極駆動回路１１２、スキャンドライバ１１３およびアドレスドライバ１１４に対して、それらの回路およびドライバに適した信号を生成して出力する。
【０００５】
ここで、Ｙ電極Ｙ１，Ｙ２，…，Ｙｎは、スキャンドライバ１１３によって走査電極として機能し、且つ、走査電極駆動回路１１２によって、維持電極駆動回路１１１により駆動されるＸ電極Ｘ１，Ｘ２，…，Ｘｎと共に維持放電電極としても機能する。すなわち、アドレス電極Ａ１，Ａ２，…，ＡｍとＹ電極（走査電極）Ｙ１，Ｙ２，…，Ｙｎとの間で、セルの点灯／非点灯を選択し、さらに、Ｘ電極（維持電極）Ｙ電極との間で、維持放電を行なうようになっている。
【０００６】
ところで、従来、プラズマディスプレイパネルの高精細化を可能とする技術として、インターレース方式により表示電極を駆動することが提案され、その構成と駆動方法が開示されている（例えば、特許文献１および２参照）。
【０００７】
この従来のプラズマディスプレイパネルは、奇数表示ラインと偶数表示ラインとを交互に点灯させることから、一般に、ＡＬＩＳ（Alternate Lighting of Surface）方式と称されている。
【０００８】
ＡＬＩＳ方式のプラズマディスプレイパネルは、維持電極と走査電極とが交互に配列され、例えば、走査電極の上下両側の領域を表示セル領域として利用することで高精細化を可能としている。
【０００９】
また、従来、列方向への放電の拡がりを抑制して解像度を高めるために、画面の行を画定する複数の行電極（維持電極および走査電極）が、隣接する行電極どうしを電極対として面放電を生じさせることができるように等間隔に配列されたプラズマディスプレイパネルにおいて、行電極を、行方向に画面の全長にわたって延びる１本の帯状の基部と、列毎に基部から隣接する他の行電極に向かって張り出した突出部とからなる形状に設けるようにしたものも提案されている（例えば、特許文献３参照）。
【００１０】
すなわち、特許文献３の図３には、セル毎にＴ字状にパターニングされた表示電極（主電極）が開示され、また、特許文献３の図１１には、１行に携わる部分が梯子状である表示電極が開示されている。なお、特許文献３においては、電極形状を部分的に切り欠いた帯状にすることの効果として、列方向の放電の拡がりが抑制されること、並びに、放電電流の最大値が低下することが挙げられている。
【００１１】
また、従来、放電電圧の電圧降下を抑制することでドライバ回路への負担を軽減し、低消費電力および低コストで高精細化しても発光効率の低下を少なくするものとして、走査電極と維持電極のライン抵抗を異ならせ、或いは、走査電極のバス電極層と維持電極のバス電極層の幅を異ならせたプラズマディスプレイが提案されている（例えば、特許文献４参照）。
【００１２】
さらに、従来、消費電力の上昇を抑制して効率を高めるものとして、維持電極１８を、毎列の放電セルグループ毎に備えるスキャン電極と、隣接した２つの列の放電セルグループが共有する共通電極とで構成し、共通電極が非放電領域に対応して配置される部位を含むように形成したプラズマディスプレイパネルも提案されている（例えば、特許文献５参照）。
【００１３】
【特許文献１】特開平９−１６０５２５号公報
【特許文献２】特開平１０−２０７４１７号公報
【特許文献３】特開２０００−１１３８２８号公報（図３，図１１）
【特許文献４】特開２０００−３５３４７３号公報
【特許文献５】特開２００５−１２３１９１号公報
【発明の開示】
【発明が解決しようとする課題】
【００１４】
図２は従来のプラズマディスプレイパネルの一例の電極構造を模式的に示す図である。図２において、参照符号１は維持電極、２は走査電極、３は障壁（隔壁とも称する）、そして、４ａおよび４ｂは放電セルを示している。
【００１５】
図２に示されるように、従来のプラズマディスプレイパネルは、放電セル４ａ，４ｂは障壁３によって区画され、また、それぞれの放電セル４ａ，４ｂに対して配置される維持電極１および走査電極２は、走査電極に直交する方向に隣接する２つの放電セルに対して交互に共通となっている。
【００１６】
ここで、図２に示す電極構造を有するプラズマディスプレイパネルでは、放電セルによって維持電極１と走査電極２の配置が異なっており、例えば、放電セル４ａでは上部に維持電極１が配置されると共に下部に走査電極２が配置され、一方、放電セル４ｂでは上部に走査電極２が配置されると共に下部に維持電極１が配置されている。
【００１７】
図３は図２に示す従来のプラズマディスプレイパネルにおいて基板の重ねズレが発生した場合を模式的に示す図である。
【００１８】
上述した図２に示す電極構造を有するプラズマディスプレイパネルにおいて、例えば、ガラス基板の収縮や基板の重ね合わせ時におけるズレ（重ねズレ）等が生じた状態で組み立てられた場合には、図３に示されるように、各々の放電セルにおける電極面積が大きく異なることになる。
【００１９】
すなわち、放電セル４ａ内において、維持電極面積５ａが走査電極面積６ａよりも小さくなり、逆に、放電セル４ｂ内において、維持電極面積５ｂが走査電極面積６ｂよりも大きくなる。この電極面積の差は、それぞれの放電セルにおける放電状態の変化をもたらし、隣接する放電セル４ａ，４ｂの発光量が異なる原因となる。ここで、維持電極面積５ａおよび５ｂは、放電セル４ａおよび４ｂ内における維持電極１のベース部から延びる電極の面積であり、また、走査電極面積６ａおよび６ｂは、放電セル４ａおよび４ｂ内における走査電極２のベース部から延びる電極の面積である。
【００２０】
ここで、上記維持電極面積および走査電極面積の部分は透明電極で構成され、また、維持電極のベース部および走査電極のベース部は透明電極と金属電極との積層体または金属電極で構成されている。
【００２１】
そして、隣接する放電セル４ａおよび４ｂの発光量の差異は、特に、１フレーム（フィールド）毎に隣り合う偶数および奇数の表示ラインで交互に表示を行うインターレース方式のプラズマディスプレイパネルでは隣接する放電セルを交互に使用して表示を行うため、フレーム毎に輝度が異なることになってフリッカとして観察されることになる。
【００２２】
本発明は、上述した従来技術が有する課題に鑑み、基板の重ねズレ等に対するマージンが広くて製造し易いプラズマディスプレイパネルの提供を目的とする。
【課題を解決するための手段】
【００２３】
本発明によれば、隣り合う２行の表示ラインで一本の走査電極を共用すると共に、１フレーム毎に偶数および奇数の表示ラインで交互に表示を行うインターレース方式のプラズマディスプレイパネルであって、維持放電を行う際に対となる維持電極と前記走査電極について、それぞれが異なる面積を有することを特徴とするプラズマディスプレイパネルが提供される。
【００２４】
すなわち、本発明に係るプラズマディスプレイパネルは、例えば、基板の重ねズレ等が生じた場合でも、放電セルにおいて有効となる維持電極の面積と走査電極の面積の大小関係を保持して放電状態を変化し難くするようになっている。
【発明の効果】
【００２５】
本発明によれば、基板の重ねズレ等に対するマージンが広くて製造し易いプラズマディスプレイパネルを提供することができる。
【発明を実施するための最良の形態】
【００２６】
以下、本発明に係るプラズマディスプレイパネルの実施例を、図４〜図８を参照して詳述する。
【実施例】
【００２７】
図４は本発明に係るプラズマディスプレイパネルの第１実施例を模式的に示す図である。図４において、参照符号１１は維持電極、１２は走査電極、１３は障壁、１４ａおよび１４ｂは放電セル、１５ａおよび１５ｂは維持電極面積、そして、１６ａおよび１６ｂは走査電極面積を示している。ここで、維持電極面積１５ａおよび１５ｂは、放電セル１４ａおよび１４ｂ内における維持電極１１のベース部から延びる電極の面積であり、また、走査電極面積１６ａおよび１６ｂは、放電セル１４ａおよび１４ｂ内における走査電極１２のベース部から延びる電極の面積である。
【００２８】
まず、本第１実施例のプラズマディスプレイパネルは、図２を参照して説明した従来のプラズマディスプレイパネルと同様に、放電セル１４ａ，１４ｂは障壁１３によって区画され、また、それぞれの放電セル１４ａ，１４ｂに対して配置される維持電極１１および走査電極１２は、走査電極に直交する方向に隣接する２つの放電セルに対して交互に共通となっている。
【００２９】
図４と前述した図２との比較から明らかなように、本第１実施例のプラズマディスプレイパネルの各放電セル１４ａおよび１４ｂにおいて、維持電極面積１５ａおよび１５ｂは、走査電極面積１６ａおよび１６ｂよりも十分大きくなるように電極形状が変更されている。ここで、維持電極面積および走査電極面積は、各放電セル内の電極の幅、または、長さ、或いは、幅および長さの両方を異ならせることにより大小関係を設定するようになっている。
【００３０】
図５は図４に示す第１実施例のプラズマディスプレイパネルにおいて基板の重ねズレが発生した場合を模式的に示す図である。
【００３１】
図４と図５との比較から明らかなように、例えば、基板の重ねズレが発生した場合でも、維持電極面積１５ａおよび１５ｂは、予め走査電極面積１６ａおよび１６ｂよりも十分大きくなるように形成されているため、たとえ基板の重ねズレが発生したとしても、各放電セル１４ａおよび１４ｂにおける維持電極面積１５ａ’および１５ｂ’と走査電極面積１６ａ’および１６ｂ’との大小関係は逆転することがない。
【００３２】
具体的に、図５に示すような基板の重ねズレが発生すると、放電セル１４ａにおいて、基板の重ねズレが発生しない正常時の維持電極面積１５ａは、面積が減少した重ねズレ時の維持電極面積１５ａ’となり、また、正常時の走査電極面積１６ａは、面積が増大した重ねズレ時の走査電極面積１６ａ’となる。ここで、正常時の維持電極面積１５ａと正常時の走査電極面積１６ａとの間には、１５ａ＞１６ａの関係が成立しており、また、重ねズレ時の維持電極面積１５ａ’と重ねズレ時の走査電極面積１６ａ’との間にも、維持電極面積（１５ａ’）が減少して走査電極面積（１６ａ’）が増大したとはいうものの、やはり１５ａ’＞１６ａ’の関係が成立している。
【００３３】
さらに、図５に示すような基板の重ねズレが発生すると、放電セル１４ｂにおいて、基板の重ねズレが発生しない正常時の維持電極面積１５ｂは、面積が増大した重ねズレ時の維持電極面積１５ｂ’となり、また、正常時の走査電極面積１６ｂは、面積が減少した重ねズレ時の走査電極面積１６ａ’となる。ここで、正常時の維持電極面積１５ｂと正常時の走査電極面積１６ｂとの間には、１５ｂ＞１６ｂの関係が成立しており、また、維持電極面積（１５ｂ’）が増大して走査電極面積（１６ｂ’）が減少して両者の大小関係がより一層大きくなったため、重ねズレ時の維持電極面積１５ｂ’と重ねズレ時の走査電極面積１６ｂ’との間には、当然、１５ｂ’＞１６ｂ’の関係が成立している。
【００３４】
このように、本第１実施例のプラズマディスプレイパネルによれば、たとえ基板の重ねズレ等が生じた場合でも、維持電極面積１５ａ’，１５ｂ’は走査電極面積１６ａ’，１６ｂ’よりも大きくなるようになされているため、例えば、インターレース方式を適用した場合のフリッカ等を生じることがない。
【００３５】
なお、以上の第１実施例の説明では、維持電極面積１５ａ，１５ｂを走査電極面積１６ａ，１６ｂよりも十分大きく形成したが、逆に、走査電極面積１６ａ，１６ｂを維持電極面積１５ａ，１５ｂよりも十分に大きく形成し、たとえ基板の重ねズレ等が生じた場合でも、維持電極面積と走査電極面積との大小関係が変わらないようにすることもできる。
【００３６】
図６は本発明に係るプラズマディスプレイパネルの第２実施例を模式的に示す図である。図６において、参照符号２１は維持電極、２２は走査電極、２３は障壁、２４ａおよび２４ｂは放電セル、２５ａおよび２５ｂは維持電極面積、そして、２６ａおよび２６ｂは走査電極面積を示している。ここで、維持電極面積２５ａおよび２５ｂは、放電セル２４ａおよび２４ｂ内における維持電極２１のベース部から延びる電極の面積であり、また、走査電極面積２６ａおよび２６ｂは、放電セル２４ａおよび２４ｂ内における走査電極２２のベース部から延びる電極の面積である。
【００３７】
図６と前述した図２との比較から明らかなように、本第２実施例のプラズマディスプレイパネルは、維持電極面積２５ａおよび２５ｂを走査電極面積２６ａおよび２６ｂよりも十分大きくするために、それぞれ対応する横障壁２３ａ，２３ｂの幅を変化させている。
【００３８】
すなわち、図６に示す本第２実施例のプラズマディスプレイパネルにおいては、維持電極２１が位置する横障壁２３ａの幅を、走査電極２２が位置する横障壁２３ｂの幅よりも十分に狭くすることで、各放電セル２４ａ，２４ｂ内に含まれる維持電極面積２５ａ，２５ｂを走査電極面積２６ａ，２６ｂよりも十分大きくするようになっている。
【００３９】
図７は図６に示す第２実施例のプラズマディスプレイパネルにおいて基板の重ねズレが発生した場合を模式的に示す図である。
【００４０】
図６と図７との比較から明らかなように、例えば、基板の重ねズレが発生した場合でも、維持電極面積２５ａおよび２５ｂは、障壁の形状によって各放電セル２４ａおよび２４ｂ内に含まれる面積が予め走査電極面積２６ａおよび２６ｂよりも十分大きくなるようにされているため、たとえ基板の重ねズレが発生したとしても、各放電セル２４ａおよび２４ｂにおける維持電極面積２５ａ’および２５ｂ’と走査電極面積２６ａ’および２６ｂ’との大小関係は逆転することはない。
【００４１】
なお、以上の第２実施例の説明では、維持電極面積２５ａ，２５ｂを走査電極面積２６ａ，２６ｂよりも十分大きく形成したが、逆に、維持電極２１が位置する横障壁２３ａの幅を、走査電極２２が位置する横障壁２３ｂの幅よりも十分に広くすることで、障壁により規定される各放電セル２４ａ，２４ｂ内に含まれる維持電極面積２５ａ，２５ｂを走査電極面積２６ａ，２６ｂよりも十分小さくすることもできるのはいうまでもない。
【００４２】
図８は本発明に係るプラズマディスプレイパネルにおける基板の重ねズレに対する維持電極面積と走査電極面積の比の変化を概略的に示す図である。
【００４３】
図８中の曲線Ｌ１に示されるように、例えば、放電セル内における維持電極面積が走査電極面積と同じ１．０倍では、放電セルに対して電極が共通となっているために、重ねズレにより電極比が１以上の放電セルと１以下の放電セルが生じてしまう。
【００４４】
これに対して、図８中の曲線Ｌ２に示されるように、放電セル内における維持電極面積を走査電極面積の１．２倍の大きさとした場合には、例えば、重ねズレが５０μｍ以上となった状態においても、すべての放電セルの電極比は１以上となる。
【００４５】
ここで、放電セル内における維持電極面積と走査電極面積との大小関係の比率（倍率）は、例えば、許容し得る基板の重ねズレ等により決められるが、上述のように、５０μｍ程度の重ねズレを許容する１．２倍程度以上とするのがよいと考えられる。また、両者の大小関係の比率をあまり大きくし過ぎると、通常の維持放電等において問題が生じることにもなりかねないので、その上限としては、例えば、２倍程度に設定するのがよいと考えられる。従って、放電セル内における維持電極面積と走査電極面積との比率は、１．２倍〜２倍程度とするのが好ましい。
【産業上の利用可能性】
【００４６】
本発明は、例えば、パーソナルコンピュータやワークステーション等のディスプレイ装置、平面型の壁掛けテレビジョン、或いは、広告や情報等を表示するための利用されるプラズマディスプレイに対して適用することができ、特に、隣り合う２行の表示ラインで一本の走査電極を共用すると共に、１フレーム毎に偶数および奇数の表示ラインで交互に表示を行うインターレース方式のプラズマディスプレイパネルに適用した場合に大きな効果を発揮するものと考えられる。
【図面の簡単な説明】
【００４７】
【図１】プラズマディスプレイ装置の一例の全体構成を概略的に示すブロック図である。
【図２】従来のプラズマディスプレイパネルの一例の電極構造を模式的に示す図である。
【図３】図２に示す従来のプラズマディスプレイパネルにおいて基板の重ねズレが発生した場合を模式的に示す図である。
【図４】本発明に係るプラズマディスプレイパネルの第１実施例を模式的に示す図である。
【図５】図４に示す第１実施例のプラズマディスプレイパネルにおいて基板の重ねズレが発生した場合を模式的に示す図である。
【図６】本発明に係るプラズマディスプレイパネルの第２実施例を模式的に示す図である。
【図７】図６に示す第２実施例のプラズマディスプレイパネルにおいて基板の重ねズレが発生した場合を模式的に示す図である。
【図８】本発明に係るプラズマディスプレイパネルにおける基板の重ねズレに対する維持電極面積と走査電極面積の比の変化を概略的に示す図である。
【符号の説明】
【００４８】
１，１１，２１；Ｘ１，Ｘ２，Ｘ３，…，Ｘｎ    維持電極
２，１２，２２；Ｙ１，Ｙ２，Ｙ３，…，Ｙｎ    走査電極
３，１３，２３    障壁
４ａ，４ｂ；１４ａ，１４ｂ；２４ａ，２４ｂ；    放電セル
５ａ，５ｂ；１５ａ，１５ｂ，１５ａ’，１５ｂ’；２５ａ，２５ｂ，２５ａ’，２５ｂ’    放電セル内の維持電極面積
６ａ，６ｂ；１６ａ，１６ｂ，１６ａ’，１６ｂ’；２６ａ，２６ｂ，２６ａ’，２６ｂ’    放電セル内の走査電極面積
１１１    維持電極駆動回路
１１２    走査電極駆動回路
１１３    スキャンドライバ
１１４    アドレスドライバ
１１５    制御回路部
Ａ１，Ａ２，Ａ３，…，Ａｍ    アドレス電極
【図１】
2008034200.tif 000003
【図２】
2008034200.tif 000004
【図３】
2008034200.tif 000005
【図４】
2008034200.tif 000006
【図５】
2008034200.tif 000007
【図６】
2008034200.tif 000008
【図７】
2008034200.tif 000009
【図８】
2008034200.tif 000010